(57)【要約】      （修正有）【課題】簡単に均等に掛けることができ、乳児や介護患者用タオルとして活用できるタオルを提供する。【解決手段】タオルの真ん中に太さ５ｍｍの色線を入れ、色線の両端にＯ型の耳をタオルと同色、同布で取り付ける。【選択図】図４
0003154014.tif 000002
【実用新案登録請求の範囲】
【請求項１】
中央センターライン線入タオル兼子供用ゆだれ掛け首輪
洗濯したタオルを乾す時、誰しもが端と端をそろえて半分になるように乾すと思う。だが物干しラックなと腰より低い物に乾す時かがんで腰を折曲げて下部分をそろえて乾すと思う。何枚もある時大変体力を消耗する仕事になる。そこで本考案タオルは、製造する過程で、タオルの中央に一本ライン線を入れる事で、洗濯物を乾す時、上がらライン線を見ながら腰を曲ける事なくタオルを乾す事が出来るよう中央センターライン線入タオルを考案したのである。図１（２）がそれである。
【請求項２】
タオルの真中にセンターライン線を入れる事で簡単に、半分に折り曲けて、タオルを乾す事が出来るが、さらにＯ型のフツクを中央センターライン線の端と端に（３）を取り付ける事で、濡れタオルを簡単にＯ型フツクを、つまみ上げる事でタオルを乾す事が出来るようにしたのが図２（３）の中央センターライン線Ｏ型フツクである。
【請求項３】
タオルにＯ型フツクを取り付けた事で洗濯物の中から濡れタオルをつまみ上げる事が出来るよう考案したが、さらにＯ型フツクの穴に一本の布紐の端々に丸いスポンジーを縫い付ける事でＯ型フツクにスポンジーのボンボリを取り付けるとタオルが子供達の前垂れとして使用出来るのである一本のタオルが乾す時の目印として、中央センターライン線が役に立ち、さらにセンターラインの両端にＯ型フッを取り付ける事ですぐにタオルの中心をつかみ取る事が出来、そのＯ型フツクに一本の布紐のボンボリを取り付ければ、タオルが子供用の前垂れとして使用する事が、簡単に出来る様に考案が、中央センターライン線入り兼子供用、ゆだれ掛け首輪である。図４
請求項１は、中央センターライン線である。図１（２）
請求項２は、中央センターライン両端に取り付けたＯ型フツクである。図２（３）
請求項３は、布紐の両端に丸形スポンシ・ボンボリを縫い付ける事で、タオルを利用した子供の前垂れとしタオルのＯ型フツクに布紐のボンボリを付けるよう考案、簡単に取り外しが出来布紐首輪である。図３（４）（５）図４（４）（５）
【考案の詳細な説明】
【技術分野】
【０００１】従来のタオルは洗濯後物干に掛ける時タオルを半分にして、掛けるのが、誰しもがやる掛け方と思う。
腰より低い物干ラックにタオルを掛ける時かかんで、タオルを二ツ折にして、下をそろえて乾す事と思う。
これは意外と体力を消耗する姿勢である。本考案はタオル乾が簡単に出来る用、タオルの中央部にセンターライン線を一本入れる事で（２）の所を持って上から、かかんで下を見る事なく、タオル掛けが出来る中央センターライン線（２）タオルである。
【背景技術】
【０００２】従来のタオルを見ても、タオルの中央部分にセンターライン線を付けているタオルは、見っからない。又、Ｏ型フツクを中央部に取り付けているタオルもなく、さらに一本の布紐を利用しての子供用、ゆだれ掛けと、してタオルを使用出来るよう考案品もない。
【考案の開示】
【考案が解決しようとする課題】
【０００３】毎日の洗濯は、大変である。主婦にとっては重労働でありさらに沢山の洗濯物を乾す仕事は３０〜４０分は掛かる大仕事である。腰痛の自病を持っている主婦にとっては、立ったり、かがんだりする、物干時は大変である。
タオル一本乾すのに苦痛を感じていては、家事も進まなくなる、本考案は、タオルの中央部分にセンターライン線図１（２）を色線として入れる事で腰より低い物干ラックなとにタオルを何本も乾す時、かかんでタオルの下部をそろえる事なく、中央センターライン線をたよりにタオルを腰をいためる事なく乾す事が出来る考案である。
【課題を解決するための手段】
【０００４】タオルの使用目的は、さまざまであるが、中央センターラインを色線としてタオルに付ける事で腰より低い所に乾す時は、かかむ事なく、半分に二ツ折りして簡単に掛け乾しが出来る考案であるがそのラインの両端にＯ型フツクを取り付ける事でタオルの真中をすぐにつかめる考案でもある。さらにＯ型フツクを子供の前だれとして使用出来るように一本の布紐の両端にスポンシを縫い付けるだけで子供の首に掛けてタオルの中央センターラインのＯ型フツク（３）に布紐（４）のスポンジ−ボンボリ（５）をＯ型フツク（３）の穴に入れるだけで、子供の食事時の前だれとして、子供の汚れ遊びの前掛けとしても使用出来る新案考案として課題は、解決したのである。
【考案の効果】
【０００５】タオルの使用方法は、人さまざまである。中央に色ライン線を一本入れる事で、さらにそのラインの両端に布紐を通すため、Ｏ型フツクを取り付ける事で子供用の汚れ防止の前だれとして一本のタオルが使用出来洗濯後のタオル乾しの時は、中央ライン線のＯ型フツクを、つまむ事で低い物干ラックなとに簡単に、かかむ事なく、センターラインを目印として乾す事が出来る、並通のタオルが、三通りの使用方法がある。
【考案を実施するための最良の形態】
【０００６】タオル中央部に色線を一本入れる図１（２）これでタオル乾の時ライン線（２）の両端にＯ型フツク（３）を取り付けこれを指でつまんで簡単にタオル乾しが出来る、さらにＯ型フツクに布紐ボンホリ（５）を通す事で子供用前だれとして汚れ防止の役目をはたす。
【図面の簡単な説明】
【０００７】
【図１】本考案の中央センターライン色線を入れた図である。
【図２】本考案の中央センターラインの両端にＯ型フツクを取り付けた図である。
【図３】本考案の布紐の両端にスポンジを縫い付け、ポンポリにした図である。
【図４】本考案の中央センターラインの両端にＯ型フツクを付けそのフツクに布紐のボンボリを付けるだけで子供の前だれとして使用する時の図である。
【符号の説明】
【０００８】１、タオル図
２、中央センターライン色線図
３、中央センターラインの両端にＯ型フツクを取付けた図
４、首輪にする布紐図
５、スポンジを縫い込んであるボンボリ図
【図１】
0003154014.tif 000003
【図２】
0003154014.tif 000004
【図３】
0003154014.tif 000005
【図４】
0003154014.tif 000006
【手続補正書】
【提出日】平成21年1月14日(2009.1.14)
【手続補正１】
【補正対象書類名】明細書
【補正対象項目名】全文
【補正方法】変更
【補正の内容】
【考案の詳細な説明】
【技術分野】
【０００１】  本考案はタオルの真ん中に色線（横線）一本を入れたことで簡単にタオル掛けができ、更に色線（横線）の両端のＯ型の耳をタオル地と同色、同布で取り付けることであらゆる介護用タオルとして、使用できるよう構成した、早掛け介護用タオルである。
【背求技術】
【０００２】  従来のタオル等の真ん中には横色線を入れた製品はなく又、タオルにＯ型の耳を横色線の両端に取り付けて介護用前掛けタオルとして製品化されたタオルは無かった。
【先行技術文献】
【０００３】
【特許文献】
【非特許文献】
【考案の概要】
【考案が解決しようとする課題】
【０００４】  腰痛や肥満、或いは身体の不自由な人や高齢者や乳児を、背負った主婦や養護施設等で生活している人にとって低位置にタオルを掛ける場合の負担や苦痛を軽減目的としたものであり、又乳児や介護患者等の前掛け用タオルとして肩などに固定する為、タオルにＯ型の耳を横色線の両端に取り付けたことからの２通りの活用法であり、従来の単なる入浴や洗顔用として使用されていた以上の効果の有るタオルである。
本考案は以上の問題点を解決する為になされたものである。
【課題を解決するための手段】
【０００５】  従来通りのタオル（１）の真ん中に横色線５ミリ程度（２）を入れる。この横色線（２）の両端に、Ｏ型の耳（タオル地と同色の同布）（３）を取り付ける。
本考案は以上の構成による、早掛け介護用タオルである。
【考案の効果】
【０００６】  タオルの真ん中に横色線が入っていることで、タオルを２ツ折りに掛けた場合、下部の端を揃えなくても、上部の横色線を目安にタオルを簡単に均等に掛けることができ、更にタオル横色線両端にＯ型の耳を取り付ける。タオルを肩などに固定する用途としての、Ｏ型の耳であり、これによって乳児や介護患者用タオルとして活用できる効果の有る考案品である。
【図面の簡単な説明】
【０００７】
【図１】従来の無地タオル平面図
【図２】本考案の５ミリ横色線入を示す、平面図
【図３】本考案の５ミリ横色線の両端にＯ型の耳を取り付け平面図
【図４】本考案のタオルを掛けた使用状態を示す、斜視図
【考案を実施するための形態】
【０００８】  以下、本考案を実施するための最良の形態を説明する。
（イ）タオル（１）の真ん中に５ミリ程度の横色線（２）を一本入れる。
（ロ）タオルに入れた、横色線（２）の両端部分にタオル地（１）と同色同布のＯ型の耳（３）を取り付ける
本考案は以上のような構造である。
本考案を使用するときは、タオルに入れた、横色線（２）の部分を基準として手早く、タオル掛け（４）に掛けることができ、Ｏ型の耳（３）を取り付けたことで、あらゆる介護用の前掛けタオルとして汚れ等を防止する、早掛け介護用タオルとして使用すればよい。
【符号の説明】
【０００９】（１）一般無地タオル、（２）５ミリ横色線、（３）Ｏ型の耳、（４）タオル掛け棒、
【手続補正２】
【補正対象書類名】実用新案登録請求の範囲
【補正対象項目名】全文
【補正方法】変更
【補正の内容】
【実用新案登録請求の範囲】
【請求項１】
一般のタオルの真ん中に色線、太さ５ミリ程度の横線、一本を入れる。
【請求項２】
タオルの真ん中に色線（５ミリ）程度の横線を入れ、その横線の両端にＯ型の耳（タオル地と同色、同布）を取り付ける。
以上が本考案の権利を請求する項目であります。
【手続補正３】
【補正対象書類名】図面
【補正対象項目名】全図
【補正方法】変更
【補正の内容】
【図１】
0003154014.tif 000007
【図２】
0003154014.tif 000008
【図３】
0003154014.tif 000009
【図４】
0003154014.tif 000010
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
一般タオルの真ん中の短幅の端と端に渡っての色線であって、太さ５ミリ程度の横線一本を目印として入れ、早掛けタオルとする、さらにその横色線の両端に、Ｏ型の耳を同色、同布で取り付けたことを、特徴とする、早掛け介護用タオル。
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
一般タオルの真ん中の短幅の端と端に渡って、色線であって、太さ５ミリ程度の横線一本を目印として入れ、早掛けタオルとして、更にその色線の両端にＯ型の耳をタオルと同色、同布で取り付けたことを特徴とする、早掛け介護用タオル。